(57)【要約】【課題】安全かつ自動的に、フェムトセル用無線基地局に対して、最新のファームウェア及び局データを反映させる。【解決手段】本発明に係る移動通信方法は、オペレーション装置５００が、無線基地局の２００設置場所に係る情報及び無線基地局２００において使用中のファームウェアの識別情報を取得する工程と、オペレーション装置５００が、ファームウェアの識別情報に基づいて、無線基地局２００において使用中のファームウェアを更新すべきであると判定した場合に、設置場所に係る情報に基づいて、無線基地局２００で用いるべき局データを決定する工程と、オペレーション装置５００が、無線基地局２００に対して、更新用のファームウェア情報及び決定された局データを通知する工程とを有する。【選択図】図６
2010041260.tif 000002
【特許請求の範囲】
【請求項１】
オペレーション装置が、無線基地局の設置場所に係る情報及び該無線基地局において使用中のファームウェアの識別情報を取得する工程Ａと、
前記オペレーション装置が、前記ファームウェアの識別情報に基づいて、該無線基地局において使用中のファームウェアを更新すべきか否かについて判定する工程Ｂと、
前記オペレーション装置が、更新すべきであると判定した場合に、前記設置場所に係る情報に基づいて、前記無線基地局で用いるべき局データを決定する工程Ｃと、
前記オペレーション装置が、前記無線基地局に対して、更新用のファームウェア情報及び決定された前記局データを通知する工程Ｄと、
前記無線基地局が、前記ファームウェア情報に基づいて使用すべきファームウェアを更新し、前記局データを用いて運用を開始する工程Ｅとを有することを特徴とする移動通信方法。
【請求項２】
ゲートウェイ装置が、前記無線基地局に対する認証処理を行う工程と、
前記認証処理が成功した場合に、前記ゲートウェイ装置と前記無線基地局との間で、セキュリティが確保されたコネクションを設定する工程とを更に有し、
前記工程Ａにおいて、前記オペレーション装置が、前記コネクションを介して、前記設置場所に係る情報及び前記ファームウェアの識別情報を取得し、
前記工程Ｄにおいて、前記オペレーション装置が、前記コネクションを介して、前記更新用のファームウェア情報及び前記局データを通知することを特徴とする請求項１に記載の移動通信方法。
【請求項３】
無線基地局の設置場所に係る情報及び該無線基地局において使用中のファームウェアの識別情報を取得するように構成されている無線基地局情報受信部と、
前記ファームウェアの識別情報に基づいて、該無線基地局において使用中のファームウェアを更新すべきか否かについて判定し、更新すべきであると判定した場合に、前記設置場所に係る情報に基づいて、前記無線基地局で用いるべき局データを決定するように構成されている決定部と、
前記無線基地局に対して、更新用のファームウェア情報及び決定された前記局データを通知するように構成されている通知部とを具備することを特徴とするオペレーション装置。
【請求項４】
前記無線基地局情報受信部は、前記無線基地局に対する認証処理が成功した場合に、前記ゲートウェイ装置と前記無線基地局との間で設定されたセキュリティが確保されたコネクションを介して、前記設置場所に係る情報及び前記ファームウェアの識別情報を取得するように構成されており、
前記通知部は、前記コネクションを介して、前記更新用のファームウェア情報及び前記局データを通知するように構成されていることを特徴とする請求項３に記載のオペレーション装置。
【発明の詳細な説明】
【技術分野】
【０００１】
本発明は、移動通信方法及びオペレーション装置に関する。
【背景技術】
【０００２】
一般的に、ネットワーク管理者は、公衆通信サービスを提供するマクロセル用無線基地局について、不規則に発生する移動局からの接続要求に応えるために、常時、保守及び運用を行っている。
【０００３】
例えば、ネットワーク管理者は、以下のような手順で、マクロセル用無線基地局のファームウェア及び局データ（構成データ）の更新を行っている。
（１）ネットワーク管理者が、オペレーション装置を用いて、各マクロセル用無線基地局に対して、最新のファームウェア及び局データを送信する。
（２）ネットワーク管理者が、トラヒックが閑散とした時間帯に、リモートで、各マクロセル用無線基地局の再起動処理を行うことによって、最新のファームウェア及び局データを反映させる。
【０００４】
すなわち、ネットワーク管理者は、マクロセル用無線基地局の運用を開始した後は、手動で、マクロセル用無線基地局に対して、最新のファームウェア及び局データを反映させていた。
【非特許文献１】３ＧＰＰ  ＴＳＧ  ＲＡＮ  ＃３５  ＲＰ-０７０２０９  Ｌｅｍｅｓｏｓ、Ｃｙｐｒｕｓ、２００７年３月６-９日、http://www.3gpp.org/ftp/tsg_ran/TSG_RAN/TSGR_35/Docs/）
【特許文献１】特開２００７-２２８２１２号公報
【発明の開示】
【発明が解決しようとする課題】
【０００５】
近年、フェムトセル用無線基地局（Ｈｏｍｅ  ｅＮＢ）と呼ばれる家庭等の小規模なエリアに設置される無線基地局の運用方法について検討されている。
【０００６】
しかしながら、フェムトセル用無線基地局は、家庭等の小規模なエリアに設置されるものであるため、運用対象となるフェムトセル用無線基地局の数は、マクロセル用無線基地局の数と比べて、はるかに多くなることが想定されている。
【０００７】
したがって、マクロセル用無線基地局の場合と同様に、ネットワーク管理者が、手動で、全てのフェムトセル用無線基地局に対して、最新のファームウェア及び局データを反映させることが困難であるという問題点があった。
【０００８】
そこで、本発明は、上述の課題に鑑みてなされたものであり、安全かつ自動的に、フェムトセル用無線基地局に対して、最新のファームウェア及び局データを反映させることができる移動通信方法及びオペレーション装置を提供することを目的とする。
【課題を解決するための手段】
【０００９】
本発明の第１の特徴は、移動通信方法であって、オペレーション装置が、無線基地局の設置場所に係る情報及び該無線基地局において使用中のファームウェアの識別情報を取得する工程Ａと、前記オペレーション装置が、前記ファームウェアの識別情報に基づいて、該無線基地局において使用中のファームウェアを更新すべきか否かについて判定する工程Ｂと、前記オペレーション装置が、更新すべきであると判定した場合に、前記設置場所に係る情報に基づいて、前記無線基地局で用いるべき局データを決定する工程Ｃと、前記オペレーション装置が、前記無線基地局に対して、更新用のファームウェア情報及び決定された前記局データを通知する工程Ｄと、前記無線基地局が、前記ファームウェア情報に基づいて使用すべきファームウェアを更新し、前記局データを用いて運用を開始する工程Ｅとを有することを要旨とする。
【００１０】
本発明の第２の特徴は、オペレーション装置であって、無線基地局の設置場所に係る情報及び該無線基地局において使用中のファームウェアの識別情報を取得するように構成されている無線基地局情報受信部と、前記ファームウェアの識別情報に基づいて、該無線基地局において使用中のファームウェアを更新すべきか否かについて判定し、更新すべきであると判定した場合に、前記設置場所に係る情報に基づいて、前記無線基地局で用いるべき局データを決定するように構成されている決定部と、前記無線基地局に対して、更新用のファームウェア情報及び決定された前記局データを通知するように構成されている通知部とを具備することを特徴とする。
【発明の効果】
【００１１】
以上説明したように、本発明によれば、安全かつ自動的に、フェムトセル用無線基地局に対して、最新のファームウェア及び局データを反映させることができる移動通信方法及びオペレーション装置を提供することができる。
【発明を実施するための最良の形態】
【００１２】
（本発明の第１の実施形態に係る移動通信システムの構成）
図１乃至図５を参照して、本発明の第１の実施形態に係る移動通信システムの構成について説明する。
【００１３】
図１に示すように、本実施形態に係る移動通信システムは、無線制御装置１００と、オペレーション装置５００と、ゲートウェイ装置（ＳＧＷ：Ｓｅｃｕｒｉｔｙ  Ｇａｔｅｗａｙ）４００と、フェムトセル用無線基地局２００、２０１とを具備している。
【００１４】
フェムトセル用無線基地局２００、２０１は、無線制御装置１００に収容されている。
【００１５】
無線制御装置１００は、フェムトセル用無線基地局２００、２０１に対して、フェムトセル用無線基地局２００、２０１と無線通信を行う移動局３００との間の個別無線チャネルの割り当て及び管理を行うように構成されている。
【００１６】
移動通信事業者の管理するＬＡＮの境界線上には、ゲートウェイ装置４００が設置されている。
【００１７】
ゲートウェイ装置４００は、他のネットワークからの不正なアクセスから、移動通信事業者の管理するＬＡＮ（移動通信事業者ネットワーク）を守るためのゲートウェイ装置であり、ゲートウェイ装置４００の認証処理により正規と認められたアクセスのみを、移動通信事業者ネットワークに通すことになる。
【００１８】
また、移動通信事業者ネットワーク上には、オペレーション装置５００が設置されている。
【００１９】
図２に示すように、オペレーション装置５００は、無線基地局情報受信部１１と、記憶部１２と、決定部１３と、通知部１４とを具備している。
【００２０】
無線基地局情報受信部１１は、各フェムトセル用無線基地局２００、２０１から、無線基地局情報を取得するように構成されている。
【００２１】
無線基地局情報は、各フェムトセル用無線基地局２００、２０１に係る情報であり、例えば、各フェムトセル用無線基地局２００、２０１の設置場所に係る情報や、各フェムトセル用無線基地局２００、２０１において使用中のファームウェアの識別情報や、各フェムトセル用無線基地局２００、２０１において使用中の局データや、各フェムトセル用無線基地局２００、２０１の型番や、各フェムトセル用無線基地局２００、２０１の周辺無線基地局において使用中の局データ等を含む。
【００２２】
各フェムトセル用無線基地局２００、２０１の設置場所に係る情報は、各フェムトセル用無線基地局２００、２０１に設けられているＧＰＳ機能によって取得された位置情報（緯度及び経度情報）であってもよいし、各フェムトセル用無線基地局２００、２０１の周辺無線基地局（マクロセル用無線基地局やフェムトセル用無線基地局）のセルＩＤであってもよい。
【００２３】
ファームウェアの識別情報は、当該ファームウェアの種別及びバージョン情報等を識別する情報である。局データは、各フェムトセル用無線基地局２００、２０１において使用されている運用パラメータであり、例えば、拡散符号や周波数等が含まれる。
【００２４】
なお、各フェムトセル用無線基地局２００、２０１は、周辺無線基地局の報知情報を解析することによって、周辺無線基地局において使用中の局データを取得するように構成されている。
【００２５】
また、無線基地局情報受信部１１は、ゲートウェイ装置４００と各フェムトセル用無線基地局２００、２０１との間で設定されたセキュリティが確保されたコネクション（ＶＰＮコネクション：Ｖｉｒｔｕａｌ  Ｐｒｉｖａｔｅ  Ｎｅｔｗｏｒｋ）を介して、上述の無線基地局情報を取得するように構成されている。
【００２６】
記憶部１２は、各フェムトセル用無線基地局２００、２０１の無線基地局情報を記憶するように構成されている。
【００２７】
また、記憶部１２は、マクロセル用無線基地局によって提供されている通信サービスで使用されている周波数帯域を記憶するように構成されていてもよい。
【００２８】
なお、無線基地局情報受信部１１は、各フェムトセル用無線基地局２００、２０１の無線基地局情報として、記憶部１２に記憶されている無線基地局情報からの差分のみを取得するように構成されていてもよい。
【００２９】
決定部１３は、無線基地局情報受信部１１によって取得され、記憶部１２に記憶されているファームウェアの識別情報に基づいて、各フェムトセル用無線基地局２００、２０１において使用中のファームウェアを更新すべきか否かについて判定するように構成されている。
【００３０】
例えば、決定部１３は、無線基地局情報受信部１１によって取得された各フェムトセル用無線基地局２００、２０１の識別情報に基づいて、記憶部１２を参照して、各フェムトセル用無線基地局２００、２０１において使用中のファームウェアの識別情報を取得してもよい。
【００３１】
また、決定部１３は、各フェムトセル用無線基地局２００、２０１において使用中のファームウェア更新すべきであると判定した場合に、各フェムトセル用無線基地局２００、２０１の設置場所に係る情報に基づいて、各フェムトセル用無線基地局２００、２０１で用いるべき局データを決定するように構成されている。
【００３２】
例えば、図３に示すように、フェムトセル用無線基地局２００が、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスを提供することができ、フェムトセル用無線基地局２０１が、ＨＳＤＰＡサービスを提供することができず、図４に示すように、あるエリア１では、マクロセル用無線基地局ＮＢが、周波数ｆ１においてＨＳＤＰＡサービスを提供し、周波数ｆ２において通常の通信サービスを提供しているものとする。
【００３３】
かかる場合、決定部１３は、あるエリア１では、フェムトセル用無線基地局２００で用いるべき周波数を、周波数ｆ１の近傍の周波数ｆａとし、フェムトセル用無線基地局２０１で用いるべき周波数を、周波数ｆ２の近傍の周波数ｆｂとしてもよい。
【００３４】
通知部１４は、各フェムトセル用無線基地局２００、２０１に対して、更新用のファームウェア情報及び決定部１３によって決定された局データを通知するように構成されている。
【００３５】
ここで、通知部１４は、ゲートウェイ装置４００と各フェムトセル用無線基地局２００、２０１との間で設定されたセキュリティが確保されたコネクション（ＶＰＮコネクション）を介して、上述の更新用のファームウェア情報及び決定部１３によって決定された局データを通知するように構成されていてもよい。
【００３６】
更新用のファームウェア情報は、各フェムトセル用無線基地局２００、２０１で使用中のファームウェアを、各フェムトセル用無線基地局２００、２０１において使用可能な最新のファームウェアに更新するためのプログラムである。
【００３７】
なお、図１の例では、オペレーション装置５００は、独立した装置として記載されているが、無線制御装置１００等の他の装置内に設けられていてもよい。
【００３８】
また、フェムトセル用無線基地局２００、２０１は、無線制御装置１００の管理者であるネットワーク管理者（移動通信事業者）ではなく、移動通信事業者のサービスに加入しているユーザの管理下にある。
【００３９】
例えば、フェムトセル用無線基地局２００、２０１は、上述のユーザの管理するＬＡＮ（Ｌｏｃａｌ  Ａｒｅａ  Ｎｅｔｗｏｅｋ、ユーザネットワーク）上に設置され、ＦＴＴＨ（Ｆｉｂｅｒ  Ｔｏ  Ｔｈｅ  Ｈｏｍｅ）やＡＤＳＬ（Ａｓｙｍｍｅｔｒｉｃ  Ｄｉｇｉｔａｌ  Ｓｕｂｓｃｒｉｂｅｒ  Ｌｉｎｅ）等のアクセス回線事業者のネットワーク（固定回線事業者ネットワーク）を介して、移動通信事業者ネットワーク上に設置されている無線制御装置１００に接続する場合もある。
【００４０】
フェムトセル用無線基地局２００、２０１は、ゲートウェイ装置４００を介して、オペレーション装置５００に接続されており、オペレーション装置５００に対して、使用中のファームウェア及び局データの更新要求を送信するように構成されている。
【００４１】
図５に示すように、フェムトセル用無線基地局２００、２０１は、設置場所情報取得部２１と、無線基地局情報送信部２２と、受信部２３と、更新部２４とを具備している。
【００４２】
設置場所情報取得部２１は、フェムトセル用無線基地局２００、２０１の設置場所に係る情報を取得するように構成されている。
【００４３】
例えば、設置場所情報取得部２１は、各フェムトセル用無線基地局２００、２０１に設けられているＧＰＳ機能によって取得された位置情報（緯度及び経度情報）を、フェムトセル用無線基地局２００、２０１の設置場所に係る情報としてもよいし、各フェムトセル用無線基地局２００、２０１の周辺無線基地局（マクロセル用無線基地局やフェムトセル用無線基地局）のセルＩＤを、フェムトセル用無線基地局２００、２０１の設置場所に係る情報としてもよい。
【００４４】
無線基地局情報送信部２２は、各フェムトセル用無線基地局２００、２０１の無線基地局情報を、ゲートウェイ装置４００と各フェムトセル用無線基地局２００、２０１との間で設定されたセキュリティが確保されたコネクション（ＶＰＮコネクション）を介して、オペレーション装置５００に送信するように構成されている。
【００４５】
なお、無線基地局情報送信部２２は、定期的に、各フェムトセル用無線基地局２００、２０１の無線基地局情報を送信するように構成されていてもよいし、オペレーション装置５００からの指示に応じて、各フェムトセル用無線基地局２００、２０１の無線基地局情報を送信するように構成されていてもよいし、ユーザの所定操作（所定ボタン押下等）に応じて、各フェムトセル用無線基地局２００、２０１の無線基地局情報を送信するように構成されていてもよいし、所定タイミングで、各フェムトセル用無線基地局２００、２０１の無線基地局情報を送信するように構成されていてもよい。
【００４６】
受信部２３は、オペレーション装置５００から、更新用のファームウェア情報及び局データを受信するように構成されている。
【００４７】
例えば、受信部２３は、ゲートウェイ装置４００と各フェムトセル用無線基地局２００、２０１との間で設定されたセキュリティが確保されたコネクション（ＶＰＮコネクション）を介して、オペレーション装置５００から、更新用のファームウェア情報及び局データを受信するように構成されていてもよい。
【００４８】
更新部２４は、受信部２３によって受信された更新用のファームウェア情報によって、使用中のファームウェアを更新するように構成されている。
【００４９】
なお、各フェムトセル用無線基地局２００、２０１は、再起動した後、更新後のファームウェアで動作し、受信部２３によって受信された局データを用いるように構成されている。
【００５０】
（本発明の第１の実施形態に係る移動通信システムの動作）
図６を参照して、本発明の第１の実施形態に係る移動通信システムの動作について、具体的には、フェムトセル用無線基地局２００のファームウェアを更新する動作について説明する。
【００５１】
図６に示すように、ステップＳ１０００において、フェムトセル用無線基地局２００が、固定回線事業者ネットワークに対して接続するために、当該フェムトセル用無線基地局２００を認証するための認証情報を、ユーザネットワークと固定回線事業者ネットワークとの境界点に配置されている固定アクセスノード６００に対して送信する。
【００５２】
ここで、固定アクセスノード６００は、例えば、アクセス回線事業者によるＩＰアドレス等の接続情報の払い出しに用いられるプロトコル「ＰＰＰｏＥ」の終端先となるＢＡＳ（Ｂｒｏａｄｂａｎｄ  Ａｃｃｅｓｓ  Ｓｅｒｖｅｒ）である。
【００５３】
また、かかる認証情報は、例えば、ＰＰＰｏＥにおける認証必要なＩＤ及びパスワードである。
【００５４】
固定アクセスノード６００が、ステップＳ１００１において、受信した認証情報を用いて、フェムトセル用無線基地局２００に対する認証処理を行い、かかる認証処理に成功した場合、ステップＳ１００２において、フェムトセル用無線基地局２００で用いるべきＩＰアドレス等の接続情報を、フェムトセル用無線基地局２００に送信する。
【００５５】
ステップＳ１０００乃至Ｓ１００２の動作を完了することによって、フェムトセル用無線基地局２００が、グローバルなＩＰアドレスを保持している外部ネットワークに接続することが可能となる。
【００５６】
フェムトセル用無線基地局２００が、移動通信事業者ネットワークのゲートウェイ装置４００に接続するために、ステップＳ１００３において、フェムトセル用無線基地局２００とゲートウェイ装置４００との間で、相互に認証情報を通知することによって認証処理を行い、ステップＳ１００４において、フェムトセル用無線基地局２００とゲートウェイ装置４００との間で、ＶＰＮコネクションを設定する。なお、ＶＰＮコネクションの設定が、ＩＰｓｅｃプロトコルにより実現する場合には、プリシェアードキーが、上述の認証処理に用いられる認証情報に相当する。
【００５７】
ステップＳ１００５において、フェムトセル用無線基地局２００が、所定タイミングで、オペレーション装置５００に対して、上述の無線基地局情報を通知する。
【００５８】
ステップＳ１００６において、オペレーション装置５００が、受信した無線基地局情報に基づいて、フェムトセル用無線基地局２００で使用中のファームウェアが、当該フェムトセル用無線基地局２００の型番における最新のファームウェアであるか否かについて判定する。
【００５９】
オペレーション装置５００は、フェムトセル用無線基地局２００で使用中のファームウェアが、当該フェムトセル用無線基地局２００の型番における最新のファームウェアであると判定した場合、フェムトセル用無線基地局２００の設置場所に基づいて、最適な局データ（例えば、拡散符号や周波数等）を決定する。
【００６０】
そして、ステップＳ１００７において、オペレーション装置５００は、最新のファームウェアに更新するためのファームウェア情報及び最適な局データを、ＶＰＮコネクションを介して、フェムトセル用無線基地局２００に通知する。
【００６１】
なお、フェムトセル用無線基地局２００が、既に最新のファームウェアにて運用中の場合には、オペレーション装置５００は、ステップＳ１００７における通知を行わない。
【００６２】
ステップＳ１００８において、ファームウェア情報及び局データを受信したフェムトセル用無線基地局２００は、トラヒックが閑散としている時間帯を見計らい、再起動を行うことによって、最新のファームウェア及び最適な局データを反映する。
【００６３】
なお、オペレーション装置５００が、トラヒックが閑散とした時間帯に、ステップＳ１００７における通知を行い、フェムトセル用無線基地局２００は、即座に再起動を行うように構成されていてもよい。
【００６４】
以上に述べた本実施形態の特徴は、以下のように表現されていてもよい。
【００６５】
本実施形態の第１の特徴は、移動通信方法であって、オペレーション装置５００が、無線基地局２００、２０１の設置場所に係る情報及び無線基地局２００、２０１において使用中のファームウェアの識別情報を取得する工程Ａと、オペレーション装置５００が、ファームウェアの識別情報に基づいて、無線基地局２００、２０１において使用中のファームウェアを更新すべきか否かについて判定する工程Ｂと、オペレーション装置５００が、更新すべきであると判定した場合に、設置場所に係る情報に基づいて、無線基地局２００、２０１で用いるべき局データを決定する工程Ｃと、オペレーション装置５００が、無線基地局２００、２０１に対して、更新用のファームウェア情報及び決定された前記局データを通知する工程Ｄと、無線基地局２００、２０１が、ファームウェア情報に基づいて使用すべきファームウェアを更新し、局データを用いて運用を開始する工程Ｅとを有する。
【００６６】
本実施形態の第１の特徴において、ゲートウェイ装置４００が、無線基地局２００、２０１に対する認証処理を行う工程と、認証処理が成功した場合に、ゲートウェイ装置４００と無線基地局２００、２０１との間で、セキュリティが確保されたコネクション（ＶＰＮコネクション）を設定する工程とを更に有し、工程Ａにおいて、オペレーション装置５００が、コネクションを介して、設置場所に係る情報及びファームウェアの識別情報を取得し、工程Ｄにおいて、オペレーション装置５００が、コネクションを介して、更新用のファームウェア情報及び局データを通知してもよい。
【００６７】
本実施形態の第２の特徴は、オペレーション装置であって、無線基地局２００、２０１の設置場所に係る情報及び無線基地局２００、２０１において使用中のファームウェアの識別情報を取得するように構成されている無線基地局情報受信部１１と、ファームウェアの識別情報に基づいて、無線基地局２００、２０１において使用中のファームウェアを更新すべきか否かについて判定し、更新すべきであると判定した場合に、設置場所に係る情報に基づいて、無線基地局２００、２０１で用いるべき局データを決定するように構成されている決定部１３と、無線基地局２００、２０１に対して、更新用のファームウェア情報及び決定された局データを通知するように構成されている通知部１４とを具備することを要旨とする。
【００６８】
本実施形態の第２の特徴において、無線基地局情報受信部１１は、無線基地局２００、２０１に対する認証処理が成功した場合に、ゲートウェイ装置４００と無線基地局２００、２０１との間で設定されたセキュリティが確保されたコネクション（ＶＰＮコネクション）を介して、設置場所に係る情報及びファームウェアの識別情報を取得するように構成されており、通知部１４は、コネクションを介して、更新用のファームウェア情報及び局データを通知するように構成されていてもよい。
【００６９】
（本発明の第１の実施形態に係る移動通信システムの作用・効果）
本発明の第１の実施形態に係る移動通信システムによれば、フェムトセル用無線基地局２００、２０１のファームウェア及び局データが自動的に更新されるため、フェムトセル用無線基地局２００、２０１の設置数が増加した場合であっても、ネットワーク管理者の労力を抑えながら、フェムトセル用無線基地局２００、２０１の運用維持を実現することができる。
【００７０】
本発明の第１の実施形態に係る移動通信システムによれば、ゲートウェイ装置４００とフェムトセル用無線基地局２００、２０１との間で相互認証処理が行われるため、不正無線基地局や不正ネットワーク管理者による成りすましによる被害を回避することができる。
【００７１】
また、本発明の第１の実施形態に係る移動通信システムによれば、ゲートウェイ装置４００とフェムトセル用無線基地局２００、２０１との間で、ＶＰＮコネクションが確立されるため、移動通信事業者ネットワーク以外を経由することによる途中経路でのデータの改ざんや盗聴による被害を回避することができる。
【００７２】
本発明の第１の実施形態に係る移動通信システムによれば、ファームウェアが更新される際に、フェムトセル用無線基地局２００、２０１の設置場所に応じた最適な局データにて運用を行うことができる。
【００７３】
（変更例）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００７４】
かかる場合、上述の無線制御装置１００の機能は、無線基地局ｅＮＢ又は交換局ＭＭＥに搭載されることになる。
【００７５】
なお、上述のフェムトセル用無線基地局２００、２０１やオペレーション装置５００の動作は、ハードウェアによって実施されてもよいし、プロセッサによって実行されるソフトウェアモジュールによって実施されてもよいし、両者の組み合わせによって実施されてもよい。
【００７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、フェムトセル用無線基地局２００、２０１やオペレーション装置５００内に設けられていてもよい。また、かかる記憶媒体及びプロセッサは、ディスクリートコンポーネントとしてフェムトセル用無線基地局２００、２０１やオペレーション装置５００内に設けられていてもよい。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７９】
【図１】本発明の第１の実施形態に係る移動通信システムの全体構成図である。
【図２】本発明の第１の実施形態に係るオペレーション装置の機能ブロック図である。
【図３】本発明の第１の実施形態に係るオペレーション装置によるリソース割り当ての方法を説明するための図である。
【図４】本発明の第１の実施形態に係るオペレーション装置によるリソース割り当ての方法を説明するための図である。
【図５】本発明の第１の実施形態に係る無線基地局の機能ブロック図である。
【図６】本発明の第１の実施形態に係る移動通信システムの動作を示すシーケンス図である。
【符号の説明】
【００８０】
５００…オペレーション装置
１１…無線基地局情報受信部
１２…記憶部
１３…決定部
１４…通知部
２００…無線基地局
２１…設置場所情報取得部
２２…無線基地局情報送信部
２３…受信部
２４…更新部
【図１】
2010041260.tif 000003
【図２】
2010041260.tif 000004
【図３】
2010041260.tif 000005
【図４】
2010041260.tif 000006
【図５】
2010041260.tif 000007
【図６】
2010041260.tif 000008